(57)【要約】      （修正有）【課題】防漏壁を有するパンツ型使い捨ておむつにおいて、防漏壁の起立部分が倒れてしまうことを抑制しつつ良好なフィット性を実現する。【解決手段】吸収性本体と非肌側に設けられた外層シートとを備えたパンツ型使い捨ておむつであって、前記吸収性本体の両側にはそれぞれ、長手方向に沿った防漏壁５０が設けられており、前記防漏壁５０は、少なくとも縦方向において前記外層シートの前記横方向の長さが最小となる位置に、厚さ方向の一方側の面同士が接合された接合部を有し、前記縦方向において前記接合部よりも上側の領域に、前記厚さ方向の面同士が接合されていない非接合部を有し、前記吸収性本体を前記外層シートに接合する本体接合部を有し、少なくとも前記最小となる位置における前記本体接合部の前記横方向の幅は、前記本体接合部の前記長手方向の両端位置おける前記本体接合部の前記横方向の幅よりも狭い。【選択図】図６
2017205484.tif 000002
【特許請求の範囲】
【請求項１】
縦方向と、前記縦方向に交差する横方向と、を有し、
排泄物を吸収する吸収性本体と、
前記吸収性本体の長手方向の一端側が接合され、着用する際に着用者の腹側に位置する腹側胴回り部と、
前記吸収性本体の前記長手方向の他端側が接合され、着用する際に前記着用者の背側に位置する背側胴回り部と、
前記吸収性本体の非肌側に設けられた外層シートと、
を備えたパンツ型使い捨ておむつであって、
前記横方向における前記吸収性本体の両側にはそれぞれ、前記長手方向に沿った防漏壁が設けられており、
前記防漏壁は、少なくとも前記縦方向において前記外層シートの前記横方向の長さが最小となる位置に、厚さ方向の一方側の面同士が接合された接合部を有し、前記縦方向において前記接合部よりも上側の領域に、前記厚さ方向の面同士が接合されていない非接合部を有し、
前記吸収性本体を前記外層シートに接合する本体接合部を有し、
少なくとも前記最小となる位置における前記本体接合部の前記横方向の幅は、前記本体接合部の前記長手方向の両端位置おける前記本体接合部の前記横方向の幅よりも狭く、
前記防漏壁のうち、前記接合部の非肌側の部分、及び、前記接合部が設けられている部分よりも前記非肌側に位置する部分の少なくともいずれかに、前記長手方向に沿った弾性部材を有する、
ことを特徴とするパンツ型使い捨ておむつ。
【請求項２】
請求項１に記載のパンツ型使い捨ておむつであって、
前記弾性部材は、前記接合部の非肌側であって、厚さ方向において前記接合部と重複する位置に設けられている、ことを特徴とするパンツ型使い捨ておむつ。
【請求項３】
請求項１または２に記載のパンツ型使い捨ておむつであって、
前記外層シートの前記横方向の長さ及び前記防漏壁の前記横方向の長さが最大となるように、前記外層シート及び前記防漏壁を前記横方向の外側へ伸長させたとき、
前記最小となる位置では、前記横方向において前記吸収性本体の最外端からの前記外層シートの外側端までの突出量が、前記最外端から前記防漏壁の前記接合部までの突出量よりも少ない、ことを特徴とするパンツ型使い捨ておむつ。
【請求項４】
請求項１〜３のいずれかに記載のパンツ型使い捨ておむつであって、
前記接合部は、前記横方向において、前記防漏壁の内側端から所定距離だけ外側に離間して設けられている、ことを特徴とするパンツ型使い捨ておむつ。
【請求項５】
請求項１〜４のいずれかに記載のパンツ型使い捨ておむつであって、
前記防漏壁には、前記長手方向に伸縮する弾性部材が前記横方向に並んで複数設けられており、
前記横方向において、前記接合部よりも外側に配置された前記弾性部材の数は、前記接合部よりも内側に配置された前記弾性部材の数よりも多い、ことを特徴とするパンツ型使い捨ておむつ。
【請求項６】
請求項１〜５のいずれかに記載のパンツ型使い捨ておむつであって、
前記吸収性本体の肌側に配置された内層シートを有し、
前記内層シートの前記横方向の外側端部は、前記横方向の内側に折り返されており、
少なくとも一部の領域において、前記外側端部と前記防漏壁とが厚さ方向に重ねて接合されている、ことを特徴とするパンツ型使い捨ておむつ。
【請求項７】
請求項１〜６のいずれかに記載のパンツ型使い捨ておむつであって、
前記防漏壁と前記吸収性本体との間に、前記長手方向に沿った防漏フィルムを有し、
少なくとも一部の領域において、前記防漏フィルムと前記防漏壁とが厚さ方向に重ねて接合されている、ことを特徴とするパンツ型使い捨ておむつ。
【請求項８】
請求項１〜７のいずれかに記載のパンツ型使い捨ておむつであって、
前記吸収性本体は、液吸収性の吸収体を有し、
前記吸収体は、前記長手方向における前記吸収体の両端部の間に括れ部を有し、
前記吸収性本体の前記横方向の両側に設けられた一対の前記接合部は、前記厚さ方向においてそれぞれ前記吸収体と重複しておらず、
前記横方向において、一対の前記接合部の間隔は、前記吸収体の前記長手方向の両端部における長さよりも短い、ことを特徴とするパンツ型使い捨ておむつ。
【請求項９】
請求項１〜８のいずれかに記載のパンツ型使い捨ておむつであって、
前記吸収性本体は、液吸収性の吸収体を有し、
前記長手方向の背側には、前記横方向に伸縮する脚回り弾性部材が配置されており、
前記脚回り弾性部材は、
前記横方向の中央部において、前記吸収体と厚さ方向に重複するように前記横方向に沿って配置された直線部と、
前記直線部の前記横方向の両側から前記横方向の外側かつ前記長手方向の背側に湾曲して配置された湾曲部と、
を備え、
前記防漏壁と前記脚回り弾性部材とは、平面視したときに前記厚さ方向に交差する部分を有する、ことを特徴とするパンツ型使い捨ておむつ。
【請求項１０】
請求項９に記載のパンツ型使い捨ておむつであって、
前記脚回り弾性部材において、前記直線部の伸長倍率よりも前記湾曲部の伸長倍率の方が大きい、ことを特徴とするパンツ型使い捨ておむつ。
【請求項１１】
請求項１〜１０のいずれかに記載のパンツ型使い捨ておむつであって、
前記吸収性本体よりも肌側に配置された内層シートと前記防漏壁の前記縦方向の上端部とを背側において接合する背側エンド接合部を有し、
前記本体接合部は、前記吸収性本体の前記縦方向の上端部と前記外層シートとを背側において接合する本体背側上端接合部を有し、
前記縦方向において、
前記本体背側上端接合部は、前記背側エンド接合部の少なくとも一部と重複しており、
前記本体背側上端接合部の下端位置が前記背側エンド接合部の下端位置と同じ、若しくは、前記本体背側上端接合部の下端位置が前記背側エンド接合部の下端位置よりも下側にある、ことを特徴とするパンツ型使い捨ておむつ。
【請求項１２】
請求項１１に記載のパンツ型使い捨ておむつであって、
前記背側エンド接合部の前記下端位置において、前記弾性部材が前記防漏壁の長手方向に沿って伸長した状態で配置されている、ことを特徴とするパンツ型使い捨ておむつ。
【請求項１３】
請求項１１または１２に記載のパンツ型使い捨ておむつであって、
前記吸収性本体よりも肌側に配置された内層シートと前記防漏壁の前記縦方向の上端部とを腹側において接合する腹側エンド接合部を有し、
前記本体接合部は、前記吸収性本体の前記縦方向の上端部と前記外層シートとを腹側において接合する本体腹側上端接合部を有し、
前記縦方向において、
前記本体腹側上端接合部は、前記腹側エンド接合部の少なくとも一部と重複しており、
前記本体腹側上端接合部の下端位置が前記腹側エンド接合部の下端位置と同じ、若しくは、前記本体腹側上端接合部の下端位置が前記腹側エンド接合部の下端位置よりも下側にある、ことを特徴とするパンツ型使い捨ておむつ。
【請求項１４】
請求項１３に記載のパンツ型使い捨ておむつであって、
前記腹側エンド接合部の前記下端位置において、前記弾性部材が前記防漏壁の長手方向に沿って伸長した状態で配置されている、ことを特徴とするパンツ型使い捨ておむつ。
【請求項１５】
請求項１〜１４のいずれかに記載のパンツ型使い捨ておむつであって、
前記防漏壁には、前記長手方向に伸縮する前記弾性部材が前記横方向に並んで複数設けられており、
前記接合部よりも前記横方向の外側の領域における前記弾性部材の応力の和は、
前記接合部及び前記接合部よりも前記横方向の内側の領域における前記弾性部材の応力の和よりも小さい、ことを特徴とするパンツ型使い捨ておむつ。
【請求項１６】
請求項１〜１５のいずれかに記載のパンツ型使い捨ておむつであって、
前記縦方向の所定位置において前記横方向に沿って設けられ、前記パンツ型使い捨ておむつを前記縦方向に折り畳む際の折り畳み基点となる折り畳み線を有し、
前記縦方向において、前記折り畳み線と前記接合部とが重複部を有していない、ことを特徴とするパンツ型使い捨ておむつ。
【発明の詳細な説明】
【技術分野】
【０００１】
本発明は、パンツ型使い捨ておむつに関する。
【背景技術】
【０００２】
従来、パンツ型の使い捨ておむつが使用されている。一般的なパンツ型の使い捨ておむつは、展開状態において、長手方向と幅方向とを有し排泄物を吸収する吸収体を備えた吸収性本体が設けられている。そして、該吸収性本体の幅方向の両側には、吸収体によって吸収された排泄物がおむつの外側に漏れることを防止する防漏壁部が着用者の脚回りに沿って設けられる。例えば、特許文献１には、本体（吸収性本体）の両側に防漏カフ（防漏壁部）が設けられ、着用時において着用者の大腿部に当てられる領域である中間部において当該防漏カフの起立可能長さを短くすることにより、防漏カフが外部（おむつの側方）にはみ出しにくく、横漏れを防止しやすい使い捨ておむつが開示されている。
【先行技術文献】
【特許文献】
【０００３】
【特許文献１】特開２００５−２１８８７６号
【発明の概要】
【発明が解決しようとする課題】
【０００４】
しかし、従来の使い捨ておむつに設けられる防漏壁では、当該防漏壁が起立する部分の強度が不十分であり、当該防漏壁の起立部分が途中で折れ曲がって倒れてしまう場合があった。例えば、特許文献１のおむつでは、長手方向の中間部において接合部２２によって防漏壁同士が接合されているのに対して、長手方向の両端部においては接合部２２が形成されていない。このように構造が変化する部分において防漏壁に応力が作用した場合、防漏壁の起立部分が折れ曲がりやすくなり、横漏れ等が発生するおそれがあった。
【０００５】
本発明は、上記のような従来の問題に鑑みてなされたものであって、その目的は、防漏壁を有するパンツ型使い捨ておむつにおいて、防漏壁の起立部分が倒れてしまうことを抑制しつつ良好なフィット性を実現することにある。
【課題を解決するための手段】
【０００６】
上記目的を達成するための主たる発明は、縦方向と、前記縦方向に交差する横方向と、を有し、排泄物を吸収する吸収性本体と、前記吸収性本体の長手方向の一端側が接合され、着用する際に着用者の腹側に位置する腹側胴回り部と、前記吸収性本体の前記長手方向の他端側が接合され、着用する際に前記着用者の背側に位置する背側胴回り部と、前記吸収性本体の非肌側に設けられた外層シートと、を備えたパンツ型使い捨ておむつであって、前記横方向における前記吸収性本体の両側にはそれぞれ、前記長手方向に沿った防漏壁が設けられており、前記防漏壁は、少なくとも前記縦方向において前記外層シートの前記横方向の長さが最小となる位置に、厚さ方向の一方側の面同士が接合された接合部を有し、前記縦方向において前記接合部よりも上側の領域に、前記厚さ方向の面同士が接合されていない非接合部を有し、前記吸収性本体を前記外層シートに接合する本体接合部を有し、少なくとも前記最小となる位置における前記本体接合部の前記横方向の幅は、前記本体接合部の前記長手方向の両端位置おける前記本体接合部の前記横方向の幅よりも狭く、前記防漏壁のうち、前記接合部の非肌側の部分、及び、前記接合部が設けられている部分よりも前記非肌側に位置する部分の少なくともいずれかに、前記長手方向に沿った弾性部材を有する、ことを特徴とするパンツ型使い捨ておむつである。
本発明の他の特徴については、本明細書及び添付図面の記載により明らかにする。
【発明の効果】
【０００７】
本発明によれば、防漏壁を有するパンツ型使い捨ておむつにおいて、防漏壁の起立部分が倒れてしまうことを抑制しつつ良好なフィット性を実現することができる。
【図面の簡単な説明】
【０００８】
【図１】展開且つ伸長状態であるおむつ１の平面図である。
【図２】おむつ１を腹側から見た概略斜視図である。
【図３】図３Ａは、図１中のＡ−Ａ概略断面図である。図３Ｂは、図１Ａ中のＢ−Ｂ概略断面図である。図３Ｃは、図１Ａ中のＣ−Ｃ概略断面図である。
【図４】本体接合部８０について説明する概略平面図である。
【図５】展開且つ伸長状態である防漏壁５０の平面図である。
【図６】図３Ｃの領域Ｄについて拡大して表す概略断面図である。
【図７】排泄が行われる前のおむつ１の着用状態について説明する図である。
【図８】排泄が行われた後のおむつ１の着用状態について説明する図である。
【図９】おむつ１着用時における非接合部６２の状態について説明する断面図である。
【図１０】図１０Ａ及び図１０Ｂは、比較例のおむつ着用状態について説明する断面図である。
【図１１】防漏壁５０及びバックシート３０を横方向の長さが最大となるように伸張させたときの状態について表すおむつ１の概略断面図である。
【図１２】おむつ１の変形例について説明する概略断面図である。
【図１３】展開且つ伸長状態のおむつ２について、エンド接合部６３及び本体接合部８０の配置について説明する図である。
【図１４】パンツ型に形成されたおむつ２を横方向から見た場合の概略断面図である。
【図１５】折り畳み状態のおむつ１（おむつ２）について説明する概略断面図である。
【発明を実施するための形態】
【０００９】
本明細書及び添付図面の記載により、少なくとも以下の事項が明らかとなる。
縦方向と、前記縦方向に交差する横方向と、を有し、排泄物を吸収する吸収性本体と、前記吸収性本体の長手方向の一端側が接合され、着用する際に着用者の腹側に位置する腹側胴回り部と、前記吸収性本体の前記長手方向の他端側が接合され、着用する際に前記着用者の背側に位置する背側胴回り部と、前記吸収性本体の非肌側に設けられた外層シートと、を備えたパンツ型使い捨ておむつであって、前記横方向における前記吸収性本体の両側にはそれぞれ、前記長手方向に沿った防漏壁が設けられており、前記防漏壁は、少なくとも前記縦方向において前記外層シートの前記横方向の長さが最小となる位置に、厚さ方向の一方側の面同士が接合された接合部を有し、前記縦方向において前記接合部よりも上側の領域に、前記厚さ方向の面同士が接合されていない非接合部を有し、前記吸収性本体を前記外層シートに接合する本体接合部を有し、少なくとも前記最小となる位置における前記本体接合部の前記横方向の幅は、前記本体接合部の前記長手方向の両端位置おける前記本体接合部の前記横方向の幅よりも狭く、前記防漏壁のうち、前記接合部の非肌側の部分、及び、前記接合部が設けられている部分よりも前記非肌側に位置する部分の少なくともいずれかに、前記長手方向に沿った弾性部材を有する、ことを特徴とするパンツ型使い捨ておむつ。
【００１０】
このようなパンツ型使い捨ておむつによれば、着用時において、着用者の股下付近において外層シートを接合している本体接合部の幅が狭くなっているため、外層シートの剛性によって防漏壁の起立が妨げられるという問題が生じにくい。また、起立した防漏壁は、接合部若しくは接合部の非肌側に設けられた弾性部材を基点として横方向の内側に折れ曲がるため、当該基点以外の部分では折れ曲がりにくく、起立途中で防漏壁が倒れてしまうことが抑制される。そして、当該折れ曲がりの基点にて横方向内側に折れ曲がった防漏壁が、さらに横方向外側に折り返されて重ねられることにより平面（天面部）が形成され、その平面が着用者の肌にピタッとフィットすることにより、おむつ１着用時におけるフィット性を向上させることができる。
【００１１】
かかるパンツ型使い捨ておむつであって、前記弾性部材は、前記接合部の非肌側であって、厚さ方向において前記接合部と重複する位置に設けられている、ことが望ましい。
【００１２】
このようなパンツ型使い捨ておむつによれば、着用時において、弾性部材による収縮力が接合部を介して防漏壁の平面部（天面部）に作用しやすくなり、防漏壁が面形状を維持した状態で着用者の肌にフィットしやすくなる。また、接合部が形成されている領域では当該接合部が防漏壁の折れ曲がりの基点となり、非接合部が形成されている領域では、弾性部材が防漏壁の折れ曲がりの基点となることから、弾性部材と接合部との位置が近い程、折れ曲がり基点の位置がずれにくくなり、天面部の面形状をより維持しやすくなる。
【００１３】
かかるパンツ型使い捨ておむつであって、前記外層シートの前記横方向の長さ及び前記防漏壁の前記横方向の長さが最大となるように、前記外層シート及び前記防漏壁を前記横方向の外側へ伸長させたとき、前記最小となる位置では、前記横方向において前記吸収性本体の最外端からの前記外層シートの外側端までの突出量が、前記最外端から前記防漏壁の前記接合部までの突出量よりも少ない、ことが望ましい。
【００１４】
このようなパンツ型使い捨ておむつによれば、着用時において、着用者の鼠蹊部付近で外層シート（バックシート）の突出部分が防漏壁の起立高さよりも高い位置に達してしまうことが抑制される。これにより、防漏壁上端に形成される平面部（天面部）と着用者の肌との間に防漏壁が挟まって隙間が生じ排泄物が漏出したり、フィット性が悪化したりする問題が生じにくくなる。
【００１５】
かかるパンツ型使い捨ておむつであって、前記接合部は、前記横方向において、前記防漏壁の内側端から所定距離だけ外側に離間して設けられている、ことが望ましい。
【００１６】
このようなパンツ型使い捨ておむつによれば、着用時において、着用者の肌に押し付けられる防漏壁の横方向内側端に所謂ドライエッジが形成されるので、該内側端の肌触りがソフトになり、良好なフィット性を実現することができる。
【００１７】
かかるパンツ型使い捨ておむつであって、前記防漏壁には、前記長手方向に伸縮する弾性部材が前記横方向に並んで複数設けられており、前記横方向において、前記接合部よりも外側に配置された前記弾性部材の数は、前記接合部よりも内側に配置された前記弾性部材の数よりも多い、ことが望ましい。
【００１８】
このようなパンツ型使い捨ておむつによれば、防漏壁のうち、接合部よりも横方向外側の剛性が低い領域に弾性部材を多く配置することにより、当該領域が着用者の凹凸に応じた曲面を形成しやすくなり、着用者の肌に対するフィット性が向上する。また、複数の弾性部材を設けることで、防漏壁に作用する収縮力（圧力）が一か所に集中しにくくなり、パンツ型使い捨ておむつの付け心地が悪化するのを抑制できる。
【００１９】
かかるパンツ型使い捨ておむつであって、前記吸収性本体の肌側に配置された内層シートを有し、前記内層シートの前記横方向の外側端部は、前記横方向の内側に折り返されており、少なくとも一部の領域において、前記外側端部と前記防漏壁とが厚さ方向に重ねて接合されている、ことが望ましい。
【００２０】
このようなパンツ型使い捨ておむつによれば、防漏壁と内層シート（トップシート）とが厚さ方向に重ねられた状態で一体となって起立するようになる。したがって、防漏壁の起立部分に積層されている資材の枚数が増加し、該起立部分の強度が高くなる。これにより、防漏壁の起立部分が途中で折れ曲がったり倒れたりしにくくなり、おむつ着用時のフィット性をより向上させることができる。
【００２１】
かかるパンツ型使い捨ておむつであって、前記防漏壁と前記吸収性本体との間に、前記長手方向に沿った防漏フィルムを有し、少なくとも一部の領域において、前記防漏フィルムと前記防漏壁とが厚さ方向に重ねて接合されている、ことが望ましい。
【００２２】
このようなパンツ型使い捨ておむつによれば、防漏壁と防漏フィルムとが厚さ方向に重ねられた状態で一体となって起立するようになる。したがって、防漏壁の起立部分に積層されている資材の枚数が増加し、該起立部分の強度が高くなる。また、防漏フィルムが設けられることによって防漏壁の起立部分の耐水性が向上する。これにより、防漏壁の起立部分がより折れ曲がりにくくなると共に、液漏れの発生等を抑制しやすくなる。
【００２３】
かかるパンツ型使い捨ておむつであって、前記吸収性本体は、液吸収性の吸収体を有し、前記吸収体は、前記長手方向における前記吸収体の両端部の間に括れ部を有し、前記吸収性本体の前記横方向の両側に設けられた一対の前記接合部は、前記厚さ方向においてそれぞれ前記吸収体と重複しておらず、前記横方向において、一対の前記接合部の間隔は、前記吸収体の前記長手方向の両端部における長さよりも短い、ことが望ましい。
【００２４】
このようなパンツ型使い捨ておむつによれば、吸収体の括れ部内の領域に接合部が形成されることにより、当該領域において接合部によって防漏壁が折り重ねられ、防漏壁の起立高さが高くなり過ぎないようにすることができる。また、接合部が吸収体と重複していないことにより、着用時において剛性の高い接合部が着用者の身体（肌側）に押し付けられにくくなり、おむつ着用時における肌触りの悪化を抑制できる。
【００２５】
かかるパンツ型使い捨ておむつであって、前記吸収性本体は、液吸収性の吸収体を有し、前記長手方向の背側には、前記横方向に伸縮する脚回り弾性部材が配置されており、前記脚回り弾性部材は、前記横方向の中央部において、前記吸収体と厚さ方向に重複するように前記横方向に沿って配置された直線部と、前記直線部の前記横方向の両側から前記横方向の外側かつ前記長手方向の背側に湾曲して配置された湾曲部と、を備え、前記防漏壁と前記脚回り弾性部材とは、平面視したときに前記厚さ方向に交差する部分を有する、ことが望ましい。
【００２６】
このようなパンツ型使い捨ておむつによれば、脚回り弾性部材の湾曲部の伸縮力によって防漏壁が斜め上方に引っ張り上げられることにより、吸収性物品を着用する際に防漏壁が起立しやすくなる。また、防漏壁が引っ張られることにより、吸収性本体が拡幅されやすくなる。これにより、吸収性物品着用時における脚回りのフィット性が向上する。
【００２７】
かかるパンツ型使い捨ておむつであって、前記脚回り弾性部材において、前記直線部の伸長倍率よりも前記湾曲部の伸長倍率の方が大きい、ことが望ましい。
【００２８】
このようなパンツ型使い捨ておむつによれば、横方向の中央部において吸収体と重複する直線部の伸長倍率を低くすることによって、吸収体が横方向に過度に収縮することを抑制することができる。また、おむつ着用時に着用者の臀部に当接する湾曲部の伸長倍率を高くすることによって、収縮力を強くして位置ずれを生じにくくすることができる。
【００２９】
かかるパンツ型使い捨ておむつであって、前記吸収性本体よりも肌側に配置された内層シートと前記防漏壁の前記縦方向の上端部とを背側において接合する背側エンド接合部を有し、前記本体接合部は、前記吸収性本体の前記縦方向の上端部と前記外層シートとを背側において接合する本体背側上端接合部を有し、前記縦方向において、前記本体背側上端接合部は、前記背側エンド接合部の少なくとも一部と重複しており、前記本体背側上端接合部の下端位置が前記背側エンド接合部の下端位置と同じ、若しくは、前記本体背側上端接合部の下端位置が前記背側エンド接合部の下端位置よりも下側にある、ことが望ましい。
【００３０】
このようなパンツ型使い捨ておむつによれば、吸収性本体の背側上端部において本体背側上端接合部と背側エンド接合部とが重複することによって剛性が高くなった部位に対して防漏壁弾性部材による収縮力がダイレクトに作用することにより、該背側上端部が着用者の肌側により引っ張られやすくなる。したがって、吸収性本体の背側上端部におけるフィット性が向上する。また、吸収性本体の背側上端部と着用者の肌との間に隙間が形成されにくくなるため、背側上端部から排泄物が漏出することを抑制しやすくなる。
【００３１】
かかるパンツ型使い捨ておむつであって、前記背側エンド接合部の前記下端位置において、前記弾性部材が前記防漏壁の長手方向に沿って伸長した状態で配置されている、ことが望ましい。
【００３２】
このようなパンツ型使い捨ておむつによれば、背側エンド接合部の下端に対して防漏壁弾性部材による収縮力が途切れることなく作用するようになる。したがって、背側エンド接合部を介して吸収性本体背側の上端領域が着用者の肌側にしっかりと引っ張られやすくなり、吸収性本体背側上端領域におけるフィット性をより向上させることができる。
【００３３】
かかるパンツ型使い捨ておむつであって、前記吸収性本体よりも肌側に配置された内層シートと前記防漏壁の前記縦方向の上端部とを腹側において接合する腹側エンド接合部を有し、前記本体接合部は、前記吸収性本体の前記縦方向の上端部と前記外層シートとを腹側において接合する本体腹側上端接合部を有し、前記縦方向において、前記本体腹側上端接合部は、前記腹側エンド接合部の少なくとも一部と重複しており、前記本体腹側上端接合部の下端位置が前記腹側エンド接合部の下端位置と同じ、若しくは、前記本体腹側上端接合部の下端位置が前記腹側エンド接合部の下端位置よりも下側にある、ことが望ましい。
【００３４】
このようなパンツ型使い捨ておむつによれば、吸収性本体の腹側上端部において本体腹側上端接合部と腹側エンド接合部とが重複することによって剛性が高くなった部位に対して防漏壁弾性部材による収縮力がダイレクトに作用することにより、該腹側上端部が着用者の肌側により引っ張られやすくなる。したがって、吸収性本体の腹側上端部におけるフィット性が向上する。また、吸収性本体の腹側上端部と着用者の肌との間に隙間が形成されにくくなるため、腹側上端部から排泄物が漏出することを抑制しやすくなる。
【００３５】
かかるパンツ型使い捨ておむつであって、前記腹側エンド接合部の前記下端位置において、前記弾性部材が前記防漏壁の長手方向に沿って伸長した状態で配置されている、ことが望ましい。
【００３６】
このようなパンツ型使い捨ておむつによれば、腹側エンド接合部の下端に対して防漏壁弾性部材による収縮力が途切れることなく作用するようになる。したがって、腹側エンド接合部を介して吸収性本体腹側の上端領域が着用者の肌側にしっかりと引っ張られやすくなり、吸収性本体腹側上端領域におけるフィット性をより向上させることができる。
【００３７】
かかるパンツ型使い捨ておむつであって、前記防漏壁には、前記長手方向に伸縮する前記弾性部材が前記横方向に並んで複数設けられており、前記接合部よりも前記横方向の外側の領域における前記弾性部材の応力の和は、前記接合部及び前記接合部よりも前記横方向の内側の領域における前記弾性部材の応力の和よりも小さい、ことが望ましい。
【００３８】
このようなパンツ型使い捨ておむつによれば、防漏壁の横方向内側の領域では長手方向に沿ってより大きな収縮力が作用するため、着用者の肌にピタッとフィットしやすくなり、排泄物の横漏れを効果的に抑制することができる。一方、防漏壁の横方向外側の領域では長手方向に沿った収縮力が弱いため、内側の領域と比較して変形しやすく、着用者の身体の凹凸に応じて面でフィットしやすくなる。これにより、臀部のように凹凸の大きな領域であっても、排泄物の横漏れを抑制しつつ、防漏壁全体のフィット性をより高めることができる
【００３９】
かかるパンツ型使い捨ておむつであって、前記縦方向の所定位置において前記横方向に沿って設けられ、前記パンツ型使い捨ておむつを前記縦方向に折り畳む際の折り畳み基点となる折り畳み線を有し、前記縦方向において、前記折り畳み線と前記接合部とが重複部を有していない、ことが望ましい。
【００４０】
このようなパンツ型使い捨ておむつによれば、縦方向に折り畳まれた際に、防漏壁の接合部（折り込み部が形成されている部分）に折り癖が付きくい。また、折り畳み線に沿って横方向に折り癖が形成されることから、防漏壁は横方向に対して折れ曲がりにくくなる。これにより、防漏壁のうち接合部が形成されている部分では平面形状が維持されやすくなる。したがって、おむつ着用時において、防漏壁のうち接合部が形成されている部分（折り込み部）が着用者の身体にピタッとフィットしやすくなる。
【００４１】
＝＝＝第１実施形態＝＝＝
＜おむつ１の基本構成＞
本実施形態で扱う吸収性物品の一例として、パンツ型使い捨ておむつ１（以下、「おむつ１」とも呼ぶ）の基本的な構成について説明する。図１は、展開且つ伸長状態であるおむつ１の平面図である。図２は、おむつ１を腹側から見た概略斜視図である。図３Ａは、図１中のＡ−Ａ概略断面図であり、図３Ｂは、図１Ａ中のＢ−Ｂ概略断面図であり、図３Ｃは、図１Ａ中のＣ−Ｃ概略断面図である。なお、図１における「伸長状態」とは、製品（おむつ１）を皺なく伸長させた状態、具体的には、おむつ１を構成する各部材（例えば、後述するバックシート３０等）の寸法がその部材単体の寸法と一致又はそれに近い長さになるまで伸長した状態のことを言う。
【００４２】
このおむつ１は、図２のパンツ型状態において、互いに直交する三方向として縦方向と横方向と前後方向とを有している。そして、以下では、このパンツ型状態における縦方向の一方側及び他方側のことを、それぞれ「胴回り開口側」及び「股下側」とも言い、また、前後方向の前側及び後側のことを、それぞれ「腹側」及び「背側」とも言う。
【００４３】
一方、図１の展開状態においては、おむつ１は、互いに直交する三方向として長手方向と幅方向とを有している。そして、以下では、この展開状態における長手方向の一方側及び他方側のことを、それぞれ「腹側」及び「背側」とも言う。なお、展開状態における上記の幅方向は、パンツ型状態における上記の横方向と同じ方向である。そのため、以下では、幅方向のことを「横方向」とも言う。また、展開状態の長手方向は、パンツ型状態の縦方向に沿った方向である。また、図３に示すように、縦方向（長手方向）及び横方向（幅方向）と直交する方向を「厚さ方向」とし、着用対象者の肌と当接する側を「肌側」とし、その反対側を「非肌側」とする。
【００４４】
また、おむつ１は、図１に示すように、長手方向において腹側胴回り部３と、背側胴回り部４と、股下部５とを有する。腹側胴回り部３は、おむつ１の着用時において着用者の腹側に位置する部分である。背側胴回り部４は、おむつ１の着用時において着用者の背側に位置する部分である。そして、腹側胴回り部３と背側胴回り部４との間に股下部５が設けられる。
【００４５】
本実施形態のおむつ１は、吸収性本体１０と、トップシート２０と、バックシート３０と、防漏壁５０と、を有する。そして、図１の展開状態から、吸収性本体１０の長手方向（縦方向）の所定位置ＣＬ１０を折り位置として同吸収性本体１０が二つ折りされるとともに、この二つ折りの状態において互いに対向する腹側胴回り部３及び背側胴回り部４が腹側サイドエッジ部３ｅｓ及び背側サイドエッジ部４ｅｓにて溶着等で接合されると、これら胴回り部３，４同士が環状に繋がって、これにより、図２に示すような胴回り開口ＢＨ及び一対の脚回り開口ＬＨ，ＬＨが形成されたパンツ型状態のおむつ１となる。
【００４６】
吸収性本体１０は、尿等の排泄物を吸収する機能を有し、図１に示されるように平面視略長方形をなし、その長手方向をおむつ１の縦方向に沿わせつつ横方向の中央に配置されている。なお、「平面視」とは、製品をパッケージから取り出した後、サイドエッジ部３ｅｓ，４ｅｓの接合（係止）を切り、皺がなくなる程度まで各部材を展開させた状態で見た場合をいう。例えば、吸収性本体１０を伸長させてボード等に貼りつけて固定した状態を見た場合をいう。吸収性本体１０は、液吸収性の吸収体（吸収性コア）１１と、同吸収体１１の外周面を被覆するコアラップシート１２と、を有する。また、吸収性本体１０の横方向の両側には、防漏壁５０が設けられている。防漏壁５０の詳細については後で説明する。
【００４７】
吸収体１１は、パルプ繊維等の液体吸収性繊維を所定形状に成形したものであり、その内部には高吸収性ポリマー（所謂ＳＡＰ）等が混入されている。本実施形態において、吸収体１１は平面視略砂時計形状であり、長手方向の中央部が横方向の内側に凹んだ括れ部１１ｃを有している。すなわち、吸収体１１は、吸収体１１の長手方向の両端部１１ｅａ，１１ｅｂよりも横方向の寸法が小さい括れ部１１ｃを、長手方向の両端部１１ｅａ，１１ｅｂの間の位置に有している。コアラップシート１２は、吸収体１１の外周面を被覆する液透過性のシート部材であり、ティッシュペーパーや不織布等を使用可能である。
【００４８】
トップシート２０は、吸収性本体１０の厚さ方向の肌側面に配置され、おむつ１の着用時に着用者の肌と当接する液透過性のシート部材（内層シート）である。本実施形態のトップシート２０は、例えば、エアスルー不織布やスパンボンド不織布等によって形成される。
【００４９】
バックシート３０は、吸収性本体１０の厚さ方向の非肌側に配置され、おむつ１の外層を構成するシート部材（外層シート）である。本実施形態において、バックシート３０は、バックフィルム３１と、上側外層シート３２及び下側外層シート３３とを有する。バックフィルム３１は、吸収性本体１０の非肌側に配置された液不透過性かつ透湿性のシート部材であり、例えば樹脂フィルムによって形成される。バックフィルム３１が設けられることによって、吸収性本体１０によって吸収された尿等の水分が着用者の衣服側に移動（浸透）することが抑制される。
【００５０】
バックシート３０と吸収性本体１０とは、本体接合部８０によって互いに接合されている。図４は、本体接合部８０について説明する概略平面図である。同図４において、本体接合部８０は、吸収性本体１０とバックシート３０との間の右斜め上向きの斜線で示される領域にホットメルト接着剤等の接着剤を設けることによって形成されている。本体接合部８０は、長手方向において折り込み接合部６１（折り込み接合部６１の詳細は後で説明する）が形成されている領域の一部で、横方向の幅が短くなっている。具体的には、本体接合部８０の長手方向両端部の位置における幅Ｗ８０ｅよりも、その間の位置における幅Ｗ８０ｃの方が狭くなっている（Ｗ８０ｅ＞Ｗ８０ｃ）。少なくとも、縦方向において外層シート３２の横方向の長さが最小となる位置（図１のＣ−Ｃ断面の位置）において、幅Ｗ８０ｃが幅Ｗ８０ｅよりも狭くなっている。そして、この幅（Ｗ８０ｃ）が狭くなっている部分では、本体接合部８０と折り込み接合部６１とが厚さ方向において重複していない。この理由については後で説明する。
【００５１】
なお、ここで言う幅Ｗ８０（Ｗ８０ｅ及びＷ８０ｃ）とは、長手方向の所定位置における、本体接合部８０の横方向の一方側の端から他方側の端までの長さのことである。また、本体接合部８０は、図４のように長手方向に沿った帯状（長方形）の接合領域が横方向に複数並んで配置されることによって形成されていても良い。その場合、横方向に隣り合う２つの帯状領域の間に接着剤が設けられていない部分（すなわち隙間）が形成されていても良い。
【００５２】
上側外層シート３２及び下側外層シート３３は、厚さ方向に重ねられつつバックフィルム３１の非肌側に配置される柔軟なシート状部材であり、例えばスパンボンド不織布等によって形成される。上側外層シート３２及び下側外層シート３３は、少なくとも腹側胴回り部３及び背側胴回り部４において共に同じ形状であり、全体としては図１に示されるような略砂時計形状を有している。すなわち、バックシート３０は、腹側胴回り部３と背側胴回り部４との間で長手方向の中央部（股下部５）が横方向の内方に凹んだ括れ部３０ｃを有している。
【００５３】
また、上側外層シート３２及び下側外層シート３３の厚さ方向の間には、糸ゴム等の弾性部材が設けられている。本実施形態では、図１に示されるように、おむつ１の腹側胴回り部３（腹側サイドエッジ部３ｅｓ，３ｅｓの間の領域）において、複数の腹側胴回り弾性部材３５ａが所定の伸長倍率で横方向に伸長された状態で上側外層シート３２と下側外層シート３３との間に挟まれて接合されている。この腹側胴回り弾性部材３５ａによって、おむつ１の腹側胴回り部３に横方向の伸縮性が付与される。同様に、おむつ１の背側胴回り部４（背側サイドエッジ部４ｅｓ，４ｅｓの間の領域）において、複数の背側胴回り弾性部材３５ｂが所定の伸長倍率で横方向に伸長された状態で上側外層シート３２と下側外層シート３３との間に接合されている。この背側胴回り弾性部材３５ｂによって、おむつ１の背側胴回り部４に横方向の伸縮性が付与される。
【００５４】
なお、弾性部材の「伸長倍率」とは、弾性部材（糸ゴム）の自然長を１としたときの伸び度合いを示したものであり、例えば伸長倍率が１．２の場合、弾性部材は自然長から０．２だけ伸張していることになる。
【００５５】
また、背側胴回り部４には複数の背側脚回り弾性部材３５ｌｇが設けられている。背側脚回り弾性部材３５ｌｇは、背側胴回り部４の長手方向の内側の領域（吸収体１１の長手方向の中央寄りの位置）から括れ部３０ｃに沿って湾曲して配置されている。具体的に言えば、背側脚回り弾性部材３５ｌｇは、図１に示されるように、横方向の中央部（吸収体１１が配置されている領域）において横方向に沿って配置された直線部３５ｌｇｓと、直線部３５ｌｇｓの横方向の両側から、横方向の外側に向かって斜め上方に湾曲して配置された湾曲部３５ｌｇｃと、を有する。そして、直線部３５ｌｇｓと湾曲部３５ｌｇｃとは、それぞれ異なる伸長倍率で伸長された状態で上側外層シート３２と下側外層シート３３との間に接合されている。
【００５６】
本実施形態では、直線部３５ｌｇｓにおける伸長倍率が背側胴回り弾性部材３５ｂの伸長倍率よりも低くなるように背側脚回り弾性部材３５ｌｇが配置されている。直線部３５ｌｇｓは、横方向の中央部において吸収体１１（吸収性本体１０）と重複する部分を有していることから、伸長倍率を低くすることによって、吸収体１１が横方向に過度に収縮することを抑制することができる。なお、直線部３５ｌｇｓの横方向の位置によって伸長倍率が異なっていても良い。例えば、直線部３５ｌｇｓのうち横方向中央部における伸長倍率が横方向両端部における伸長倍率より低くなっていても良い。これにより、直線部３５ｌｇｓにおける応力に勾配が生じ、フィット性を損なうことなく吸収体１１の収縮を抑制することができる。
【００５７】
一方、湾曲部３５ｌｇｃにおける伸長倍率は、背側胴回り弾性部材３５ｂの伸長倍率よりも高くなるように配置されている。湾曲部３５ｌｇｃは、おむつ１の背側において括れ部３０ｃに沿って配置されているが、この領域は、おむつ１の着用時に着用者の臀部に当接し、着用者が脚を動かすことによって位置ずれが生じやすい部分である。そこで、湾曲部３５ｌｇｃの伸長倍率を高くすることによって、収縮力を強くして位置ずれを生じにくくしている。また、脚回り開口ＬＨの近隣においてバックシート３０の収縮量が大きくなるため、バックシート３０が着用者の臀部の丸みに沿った形状に変形しやすくなり、フィット性を高めることができる。なお、直線部３５ｌｇｓと同様に、湾曲部３５ｌｇｃの横方向で伸長倍率が異なっていても良い。例えば、湾曲部３５ｌｇｃにおいて、横方向の内側よりも外側の方が伸長倍率を高くしても良い。
【００５８】
＜防漏壁５０について＞
次に、防漏壁５０について説明する。防漏壁５０は、吸収性本体１０の横方向両側において、吸収性本体１０の長手方向（おむつ１の縦方向）に沿って配置され、おむつ１の着用時には吸収性本体１０の側端部から起立して、排泄物がおむつ１の外側に漏出（横漏れ）するのを抑制する。図５は、展開且つ伸長状態である防漏壁５０の平面図である。図６は、図３Ｃの領域Ｄについて拡大して表す概略断面図である。なお、図６では説明の便宜上厚さ方向における縮尺を変形して表している。
【００５９】
防漏壁５０は、図５に示されるような矩形状のシート部材５０ｓを、長手方向（縦方向）に沿った折り曲げ線ｆ１〜ｆ３にて横方向に折り畳むことによって形成される。防漏壁５０を形成するシート部材５０ｓとしては、例えば不織布等、柔軟性を有するシート部材を使用することができる。また、防漏壁５０には、長手方向に伸縮可能な糸ゴム等の防漏壁弾性部材５５が複数設けられている。図５の例では、それぞれ長手方向に沿った６本の防漏壁弾性部材５５１〜５５６が横方向の外側から内側に向かって並んで配置されている。防漏壁弾性部材５５１〜５５６はそれぞれ長手方向に所定の伸長倍率で伸長された状態で防漏壁５０に接合されている。この防漏壁弾性部材５５によって防漏壁５０に長手方向に沿った伸縮性が付与され、おむつ１着用時に防漏壁５０を起立させる。
【００６０】
防漏壁弾性部材５５は、図１及び図５において破線で示された範囲において伸縮性を発現している。なお、図１及び図５において破線で示された範囲よりも長手方向（縦方向）の外側の領域に伸縮性を発現していない防漏壁弾性部材５５が存在していても良い。また、防漏壁弾性部材５５の数量やその配置は図５に示される限りではなく、おむつ１の使用に応じて適宜変更可能である。
【００６１】
図５に示される展開状態において、防漏壁５０（シート部材５０ｓ）の横方向の内側端部５０ｅｉは、厚さ方向において吸収性本体１０と防漏フィルム３１（バックシート３０）との間に接合・固定されている。一方、防漏壁５０（シート部材５０ｓ）の横方向の外側端部５０ｅоは吸収性本体１０の横方向外側に張り出している。この状態で、外側端部５０ｅоが折り曲げ線ｆ１を基点として横方向の内側に折り曲げられ、防漏壁弾性部材５５１〜５５６を間に挟んだ状態でシート部材５０ｓ同士が厚さ方向に重ねられ、互いに接合される。なお、横方向に複数並んで設けられている防漏壁弾性部材５５のうち、最も外側の弾性部材（図５では防漏壁弾性部材５５１）は、折り曲げ線ｆ１の横方向位置に揃えて配置されている。
【００６２】
続いて、シート部材５０ｓが折り曲げ線ｆ２を基点として厚さ方向の非肌側かつ横方向の内側に折り曲げられる。折り曲げ線ｆ２の横方向位置は、防漏壁弾性部材５５５の横方向位置とほぼ同じ位置である。続いて、シート部材５０ｓが折り曲げ線ｆ３を基点として厚さ方向の肌側かつ横方向の内側に折り曲げられる。これにより、図３及び図６に示されるような略Ｓ字状に折り曲げられた防漏壁５０が形成される。なお、図６の場合、折り曲げ線ｆ３の位置が防漏壁５０を起立させる際の基部５０ｒｐとなる。
【００６３】
防漏壁５０は、シート部材５０ｓが横方向の一方側から他方側へ折り返されることにより、厚さ方向の最も肌側に天面部５１が形成されている。天面部５１は、折り曲げ線ｆ１と折り曲げ線ｆ２との間において横方向に所定の幅を有する領域であり、該天面部５１には、防漏壁弾性部材５５１〜５５５が設けられている。また、天面部５１の厚さ方向の非肌側には下面部５２が形成されている。下面部５２は、折り曲げ線ｆ２と折り曲げ線ｆ３との間において横方向に所定の幅を有する領域であり、該下面部５２には、防漏壁弾性部材５５５〜５５６が設けられている。なお、防漏壁弾性部材５５５は上述したように横方向について折り曲げ線ｆ２とほぼ同じ位置に配置されていることから、天面部５１及び下面部５２の両方に設けられているものとする。
【００６４】
そして、防漏壁５０では、天面部５１及び下面部５２の一部の領域が折り込み接合部６１を介して厚さ方向に接合されている。すなわち、折り込み接合部６１によって防漏壁５０（シート部材５０ｓ）の厚さ方向の一方側の面同士が接合されている。以下、防漏壁５０において折り込み接合部６１が形成されている部分よりも横方向の内側の領域を折り込み部５３とも呼ぶ。本実施形態では、天面部５１（下面部５２）の横方向内側の領域に、図６の斜線部で示される折り込み接合部６１が設けられ、折り込み部５３が形成されている。なお、折り込み接合部６１はホットメルト接着剤等の接着剤を用いた接着手段や、エンボス加工等の圧着手段を用いて形成されている。なお、折り込み接合部６１は図６の様に折り込み部５３の横方向の全体に亘って形成されている必要はなく、例えば、横方向の内側端（図６で折り曲げ線ｆ２の位置）において折り込み接合部６１が形成されていなくても良い。言い換えると、折り込み接合部６１が、防漏壁５０の天面部の横方向内側端から所定の距離だけ離間して形成されているのであっても良い。
【００６５】
一方、折り込み接合部６１が設けられていない横方向外側の領域では、天面部５１と下面部５２とが接合されておらず、両者は厚さ方向に離脱可能である。以下、天面部５１のうち、折り込み接合部６１が設けられている部分よりも横方向の外側を単層部５４とも呼ぶ。なお、ここで言う「単層」とは、天面部５１のみからなる層であることを意味し、天面部５１自体は図６のような複層構造であっても良い。
【００６６】
折り込み接合部６１の長手方向の外側の領域には、折り込み接合部６１が設けられていない。すなわち、防漏壁５０のうちの、長手方向において折り込み接合部６１よりも一方側の領域及び他方側の領域では、防漏壁５０（シート部材５０ｓ）の厚さ方向の一方側の面同士が接合されていない非接合部６２を有する。この非接合部６２では、図３Ｂに示されるように防漏壁５０の天面部５１及び下面部５２が接合されていないため、折り込み部５３は形成されておらず、天面部５１の横方向の全領域が単層部となる。なお、図１では折り込み接合部６１の長手方向の両外側に非接合部６２が設けられているが、長手方向の一方側にのみ非接合部６２が設けられているのであっても良い。
【００６７】
また、防漏壁５０の長手方向の両端部には、エンド接合部６３が設けられている。エンド接合部６３では、図３Ａの斜線部で示されるように、防漏壁５０の天面部５１と下面部５２とが接合されると共に、下面部５２とトップシート２０とが接合されている。これにより、防漏壁５０の長手方向の端部において天面部５１及び下面部５２がトップシート２０の肌側面に固定される。なお、図１に示されるように、エンド接合部６３は折り込み接合部６１よりも横方向の外側に配置されており、これにより、天面部５１の横方向外側端部が捲り上がってしまうことが抑制される。
【００６８】
＜おむつ１着用時における防漏壁５０の機能＞
本実施形態のおむつ１では、防漏壁５０を上述した略Ｓ字状の折り曲げ構造（図６参照）とすることで、排泄が行われた場合であっても着用者に不快感を与えにくくしつつ、股間部に隙間が生じることを抑制することができる。図７は、排泄が行われる前のおむつ１の着用状態について説明する図である。図８は、排泄が行われた後のおむつ１の着用状態について説明する図である。なお、図７及び図は、長手方向において外層シート３２の横方向の長さが最小となる位置（図１のＣ−Ｃ断面位置）での、おむつ１着用時の断面状態について表している。
【００６９】
図７に示されるおむつ１の着用状態では、防漏壁５０のうち、肌側に配置された天面部５１が着用者の身体と当接する。すなわち、天面部５１の全体が着用者の身体に対して面接触するように配置される。天面部５１のうち折り込み部５３は、天面部５１と下面部５２とが積層された状態で折り込み接合部６１によって接合されていることにより剛性が高くなっている。そのため、折り込み部５３に防漏壁弾性部材５５５及び５５６による収縮力が作用すると、該折り込み部５３は面形状を維持したまま、着用者の身体にしっかりと押し当てられる。このとき一対の防漏壁５０の横方向の間隔（横方向における折り込み部５３，５３の間の距離）をＷ５０とする。一方、天面部５１のうち、折り込み接合部６１よりも横方向外側の単層部５４には、折り込み接合部６１よりも横方向内側よりも多くの防漏壁弾性部材５５１〜５５４が設けられている。この単層部５４は、折り込み部５３よりも剛性が低いため自由に変形しやすい。そのため、単層部５４に配置された防漏壁弾性部材５５１〜５５４による収縮力が作用すると、該単層部５４は身体の凹凸に応じた曲面を形成しながら着用者の肌側に押し当てられる。また、複数の防漏壁弾性部材５５１〜５５４によって、単層部５４が捲れてしまうこと等が効果的に抑制される。
【００７０】
これにより、防漏壁５０の天面部５１の全体を着用者の身体に面でピタッとフィットさせることができる。また、天面部５１が着用者の身体と面接触しているため、複数の防漏壁弾性部材５５１〜５５６による収縮力が分散されて天面部５１全体として着用者の肌に作用する面圧を大きくしている。したがって、複数の防漏壁弾性部材５５１〜５５６（例えば糸ゴム）による収縮力が着用者の肌に対して個々に作用するような場合と比較して、局所的に圧力が高くなることが抑制され、おむつ１の付け心地が悪化するのを抑え、かつ、着用者の肌を傷つけにくくなる。
【００７１】
なお、本実施形態では、折り込み部５３のうち、下面部５２に少なくとも１本の防漏壁弾性部材５５６が設けられている（図６参照）。該防漏壁弾性部材５５６が収縮することにより下面部５２と天面部５１とが同時に着用者の肌側に押し上げられるため、折り込み部５３が面形状を維持した状態で着用者の肌と当接（面接触）しやすくなる。
【００７２】
また、図４で説明したように、長手方向において外層シート３２の横方向の長さが最小となる位置では、吸収性本体１０とバックシート３０とを接合している本体接合部８０の横方向における幅Ｗ８０ｃが狭く、該本体接合部８０は横方向において折り込み接合部６１よりも内側に形成されている。したがって、吸収性本体１０とバックシート３０とは、横方向の両端部において互いに接合されず、防漏壁５０の起立基部５０ｒｐもバックシート３０と接合されていない。これにより、おむつ１着用時に起立基部５０ｒｐの剛性が過度に高くなることが抑制され、起立基部５０ｒｐの折れ曲がり変形が妨げられにくくなる。つまり、着用者の股下に当たる領域において起立基部５０ｒｐを変形しやすくすることによって、防漏壁５０を自然に起立させやすくしている。
【００７３】
一方、長手方向の両端部では本体接合部８０の横方向における幅Ｗ８０ｅが広く、厚さ方向において本体接合部８０と折り込み接合部６１とが重複する部分を有している。この領域は胴回り開口に近い領域であり、股下側と比べて防漏壁５０を高く起立させる必要性が低い。そのため、起立基部５０ｒｐとバックシート３０とが接合されていても問題は生じにくく、逆に起立基部５０ｒｐの剛性を高くすることで防漏壁５０の強度を高めることができる。さらに、幅Ｗ８０ｅが広いことにより、おむつ１着用時等において、腹側胴回り部３や背側胴回り部４（バックシート３０）が横方向に引っ張られる際に、バックシート３０に連動して吸収性本体１０が横方向に拡幅されやすくなり、吸収性本体１０が着用者の身体を広く覆うことができるようになる。
【００７４】
図７の状態で、おむつ１に排泄が行われると、吸収体１１が尿等を吸収して重量が重くなり、下方側に垂れ下がるように移動しようとする。しかし、本実施形態のおむつ１では、折り込み部５３及び単層部５４に設けられた複数の弾性部材の収縮力によって天面部５１を上方側（着用者の肌側）に押し上げる力が生じており、吸収体１１の重量増加によって防漏壁５０が下側に引っ張られる力に対する抗力となる。また、天面部５１が着用者の肌と面接触していることから、接触面における摩擦が大きく、該天面部５１の位置ずれが生じにくい。したがって、一対の防漏壁５０の横方向の間隔Ｗ５０は排泄の前後で変動しにくい。これらのことから、図８のように防漏壁５０の天面部５１が着用者の肌に当接した状態が維持されやすく、おむつ１の脚回り部に隙間が生じる等の問題が生じにくくなる。
【００７５】
また、吸収体１１の垂れ下がりは、防漏壁５０の起立部分が高いほど生じやすくなる。すなわち、図８に示されるように、吸収体１１の横方向外側端部から防漏壁５０が着用者の肌と当接する部分までの距離Ｌ２が長いほど、吸収体１１が下方側に垂れ下がりやすくなる。これに関して、おむつ１の防漏壁５０では、折り込み接合部６１の横方向外側端部を基点として防漏壁５０が横方向内側に折れ曲がり、さらに防漏壁弾性部材５５５の位置（折り曲げ線ｆ２）で横方向外側に折り返され、折り込み部５３が形成されている。この折り込み部５３によって防漏壁５０の一部が折り重ねられることによって、防漏壁５０の起立部分の距離Ｌ２が長くなり過ぎることが抑制され、吸収体１１が下方側に大きく垂れ下がることが抑制され、着用者に不快感を与えにくくすることができる。
【００７６】
なお、折り込み接合部６１（折り込み部５３）は、図１に示されるように、長手方向において吸収体１１の括れ部１１ｃの領域中に形成されている。言い換えると、横方向の両側に形成されている一対の折り込み接合部６１は、厚さ方向において吸収体１１とそれぞれ重複しておらず、かつ、横方向における一対の折り込み接合部６１の間隔は、横方向における吸収体１１の縦方向両端部の長さ（幅）よりも狭い。吸収体１１のうち括れ部１１ｃが形成されている領域では吸収体１１の横方向端部から防漏壁５０の起立基部５０ｒｐまでの距離が長くなるため（図６参照）、その分吸収体１１の垂れ下がりが生じやすくなる。そこで、当該領域において防漏壁５０に折り込み接合部６１を設け、折り込み部５３にて防漏壁５０を折り重ねることにより、距離Ｌ２をなるべく短くして吸収体１１の垂れ下がりを効果的に抑制できるようにしている。さらに、折り込み接合部６１が、厚さ方向において吸収体１１と重複しないように形成されることにより、防漏壁５０のうち折り込み接合部６１によって剛性が高くなった部分が、吸収体１１によって着用者の身体（肌側）に押し付けられてしまうことが抑制される。これにより、おむつ１着用時における肌触りの悪化を抑制できる。
【００７７】
続いて、防漏壁５０のうち非接合部６２が設けられている部分の、おむつ１着用時における状態について説明する。図９は、おむつ１着用時における非接合部６２の状態について説明する断面図である。同図９では、長手方向において非接合部６２が設けられている位置（例えば、図１のＢ−Ｂ断面位置）での、おむつ１着用時の断面状態について表している。
【００７８】
図８の状態では、起立基部５０ｒｐから起立した防漏壁５０が、折り込み接合部６１を折れ曲がりの基点として横方向の内側に折れ曲がり、折り込み部５３が形成されていた。一方、図９の状態では、防漏壁５０に折り込み接合部６１が設けられていない。この場合、起立基部５０ｒｐから起立した防漏壁５０は、起立基部５０ｒｐから最も近い位置に配置されている防漏壁弾性部材５５６を折れ曲がりの基点として横方向の内側に折れ曲がる。そして防漏壁弾性部材５５５が配置されている位置（折り曲げ線ｆ２）にて横方向外側に折り曲げられることにより、天面部５１が形成される。これにより、折り込み接合部６１が設けられていない領域において、図８の場合と同様の天面部５１を維持することができる。このように、おむつ１の胴回り開口付近では折り込み接合部６１を設けないことによって、防漏壁５０の剛性が高くなり過ぎないようにしつつ、防漏壁５０を着用者の身体に面でフィットさせることができる。
【００７９】
また、防漏壁５０の折れ曲がり変形の基点として防漏壁弾性部材５５６が配置されていることにより、防漏壁５０が他の部分では折れ曲がりにくくなり、防漏壁５０が起立途中の意図せぬ場所で折れ曲がって倒れてしまったり、へたりこんでしまったりすることが抑制される。つまり、防漏壁弾性部材５５６の配置を調整することによって防漏壁５０が折れ曲がる位置をコントロールしやすくなる。さらに、折り込み部５３と同様に防漏壁５０の一部が折り重ねられた状態も維持されるため、防漏壁５０の起立部分の距離Ｌ３が図８のＬ２と比較して過度に長くなることが抑制され、おむつ１着用時における垂れ下がり等の問題も生じにくい。
【００８０】
このように、おむつ１では、防漏壁５０のうち折り込み接合部６１が形成されている位置若しくはそれに近い位置に防漏壁弾性部材５５６が設けられている。言い換えると、おむつ１の着用時において、防漏壁５０のうち折り込み接合部６１の非肌側の部分、及び、折り込み接合部６１が設けられている部分よりも非肌側に位置する部分の少なくともいずれかに、長手方向に沿った防漏壁弾性部材５５６が配置されている。これにより、接合部６１が形成されていない領域においても防漏壁５０に折れ曲がりの基点が形成されやすくなり、天面部５１を自然に形成することができるようになる。
【００８１】
ここで、比較例として、防漏壁５０に防漏壁弾性部材５５６に相当する弾性部材が設けられていない場合について説明する。図１０Ａ及び図１０Ｂは、比較例のおむつ着用状態について説明する断面図である。図１０Ａは、図８に対応する図であり、折り込み接合部６１が形成されている断面における防漏壁５０の状態を表している。図１０Ｂは、図９に対応する図であり、非接合部６２が形成されている断面における防漏壁５０の状態を表している。
【００８２】
図１０Ａでは、防漏壁５０が折り込み接合部６１を基点として折れ曲がることによって、折り込み部５３や天面部５１が形成されており、外観上は図８で示される状態と大きな違いはない。そのため、防漏壁５０の起立部分の距離Ｌ４は図８の距離Ｌ２とほぼ同じ長さになる。
【００８３】
一方、図１０Ｂでは、折り込み接合部６１が形成されておらず、また防漏壁弾性部材５５６が設けられていないため、防漏壁５０が横方向内側に折れ曲がる際の基点が存在しない。そのため、防漏壁５０は起立基部５０ｒｐから起立して、そのまま防漏壁弾性部材５５５が配置されている位置（折り曲げ線ｆ２）にて横方向外側に折れ曲がり、折り込み部５３は形成されない。折り込み部５３が形成されない場合、防漏壁弾性部材５５５のみの収縮力によって天面部５１の横方向内側端を支持することが難しく、天面部５１の平面形状が維持されにくくなり、防漏壁５０を着用者の身体に面でフィットさせることが難しくなる。
【００８４】
また、図１０Ｂの場合、防漏壁弾性部材５５５の収縮力が吸収体１１の重量増加によって防漏壁５０が下側に引っ張られる力に抗しきれなくなり、防漏壁５０の横方向の間隔Ｗ５０´が図１０の場合と比較して狭くなってしまうおそれがある（Ｗ５０＞Ｗ５０´）。この場合、着用者の身体に対する防漏壁５０の当接位置が横方向中央寄りに移動して臀部が露出しやすくなり、着用者に不快感を生じさせやすくなる。また、防漏壁５０は、折り込み部５３によって折り重ねられることなく起立するため、起立部分の距離Ｌ５が図１０Ａの距離Ｌ４（Ｌ２）と比較して長くなり、おむつ１着用時において吸収体１１が大きく垂れ下がり、フィット性が悪化するおそれがある。そして、このように防漏壁５０の起立部分の距離Ｌ５が長くなると、防漏壁５０に意図していない折れ曲がりや変形が生じる可能性が高くなる。
【００８５】
また、防漏壁５０の長手方向（縦方向）について考える場合、折り込み接合部６１と非接合部６２との境界位置において防漏壁５０の形状が図１０Ａの状態から図１０Ｂの状態へ急激に変化するおそれがある。このような急激な形状変化が生じると、防漏壁５０の天面部５１の平面形状が崩れやすくなり、おむつ１着用時におけるフィット性が大きく悪化する。
【００８６】
これに対して、本実施形態のおむつ１であれば、防漏壁５０の所定の部分に防漏壁弾性部材５５６が設けられていることにより、折り込み接合部６１が形成されていない領域（非接合部６２が形成されている領域）であっても、折り込み部５３と同様に防漏壁５０を折り重ね変形させることができる。したがって、折り込み接合部６１が形成されている部分と折り込み接合部６１が形成されていない部分（非接合部６２）とで、防漏壁５０の急激な形状変化が小さくなる（図８及び図９参照）。これにより、長手方向の大部分の領域で防漏壁５０の天面部５１が安定して維持されやすくなり、良好なフィット性が担保される。
【００８７】
なお、防漏壁弾性部材５５６は、厚さ方向について、折り込み接合部６１と重複する位置、すなわち、おむつ１着用時における折り込み接合部６１の非肌側に配置されていることがより望ましい。折り込み接合部６１と防漏壁弾性部材５５６とが重複した位置に配置されていれば、防漏壁弾性部材５５６の収縮力が折り込み接合部６１を介して折り込み部５３の広範囲に作用しやすくなり、折り込み部５３（天面部５１）が面形状を維持した状態で着用者の肌にフィットしやすくなる。また、図９で説明したように、非接合部６２が形成されている領域においては、防漏壁弾性部材５５６が防漏壁５０の折れ曲がりの基点となることから、折り込み接合部６１と防漏壁弾性部材５５６との位置が近い程、防漏壁５０の折れ曲がり位置も近くなる。したがって、長手方向における折り込み接合部６１と非接合部６２との境界部で、防漏壁５０が横方向内側に折れ曲がる基点となる位置がずれにくく、天面部５１の面形状がより維持されやすくなる。
【００８８】
また、本実施形態のおむつ１では、着用時において防漏壁５０が起立する高さ（例えば図８のＬ２）が或る高さ以上に確保されるようにして排泄物の横漏れを抑制しやすくしている。具体的には、縦方向（長手方向）において、バックシート３０の横方向の長さ（幅）が最小となる位置で、防漏壁５０の横方向の長さが最大となるように防漏壁５０を横方向の外側へ伸長させたときに、吸収性本体１０の横方向の外側端１０ｅｓから折り込み接合部６１までの横方向における突出量Ｗｓ５０が、バックシート３０の横方向の長さが最大となるようにバックシート３０を横方向の外側へ伸長させたときに、吸収性本体１０の最も外側の端１０ｅｓからバックシート３０の横方向の外側端３０ｅｓまでの横方向における突出量Ｗｓ３０よりも大きくなるようにしている。なお、「縦方向においてバックシート３０の横方向の長さ（幅）が最小となる位置」とは、おむつ１着用時において着用者の鼠蹊部に当たる位置であり、図１のＣ−Ｃ断面に該当する位置である。また、防漏壁５０及びバックシート３０を「横方向の長さが最大となるように伸張させた状態」とは、防漏壁５０及びバックシート３０等を横方向に皺なく伸長させることにより、各部材の寸法がその部材単体の寸法と一致又はそれに近い長さになるまで伸長した状態のことを言う。
【００８９】
図１１は、防漏壁５０及びバックシート３０を横方向の長さが最大となるように伸張させたときの状態について表すおむつ１の概略断面図である。同図１１は、図６について防漏壁５０及びバックシート３０を横方向の外側に伸長させた状態を表している。図１１に示されるように、防漏壁５０が吸収性本体１０の横方向の外側端１０ｅｓから折り込み接合部６１まで横方向外側に突出している部分の長さ（突出量）Ｗｓ５０は、バックシート３０が横方向外側に突出している部分の長さ（突出量）Ｗｓ３０よりも大きくなっている（Ｗｓ５０＞Ｗｓ３０）。これにより、おむつ１着用時において、着用者の鼠蹊部付近でバックシート３０の突出部分が脚回り開口ＬＨ側に巻き込まれるような場合であっても、当該バックシート３０の突出部分が防漏壁５０の起立高さよりも高い位置に達してしまうことが抑制される。つまり、防漏壁５０の天面部５１と着用者の肌の間にバックシート３０が挟まって隙間が生じ、その隙間から排泄物が漏出したり、防漏壁５０が着用者の肌に面でフィットしにくくなったりすることが抑制される。
【００９０】
なお、本実施形態のおむつ１では、長手方向についてバックシート３０の横方向の長さ（幅）が最小となる位置において、バックシート３０の横方向の外側端３０ｅｓが吸収性本体１０の横方向の外側端１０ｅｓよりも横方向の内側に位置している（図１、図１１参照）。したがって、図１１では、バックシート３０の横方向への突出量Ｗｓ３０がマイナスとなる。もちろん、バックシート３０の横方向の外側端３０ｅｓが吸収性本体１０の横方向の外側端１０ｅｓよりも横方向の外側に位置していても良く、その場合であっても、上述した（Ｗｓ５０＞Ｗｓ３０）の関係が成立していれば良い。
【００９１】
本実施形態の防漏壁５０には、折れ曲がり基点となる防漏壁弾性部材５５６が設けられているため、Ｗｓ５０が長くなったとしても（防漏壁５０が高くなったとしても）、おむつ１着用時において防漏壁５０の起立部分が途中で折れ曲がって倒れてしまう等の問題が生じにくい。逆に言うと、本実施形態のおむつ１では、防漏壁５０のうち折り込み接合部６１の非肌側の部分、及び、折り込み接合部６１が設けられている部分よりも非肌側に位置する部分の少なくともいずれかに、防漏壁弾性部材５５６が配置されていることにより、図１０で説明した比較例のように防漏壁弾性部材５５６が配置されていない場合と比較して、防漏壁５０を高くする（Ｗｓ５０を長くする）ことが可能となる。
【００９２】
また、図６に示されるように、折り込み接合部６１が、防漏壁５０の天面部５１の横方向内側端から所定の距離だけ離間して設けられていることにより、防漏壁５０の内側端（図６の折り曲げ線ｆ２の部分）に所謂ドライエッジが形成される。これにより、おむつ１着用時において防漏壁５０の内側端の肌触りがソフトになり、良好なフィット性を実現しやすくなる。特に、本実施形態の防漏壁５０は、折り込み部５３（天面部５１）が着用者の肌に平面で押し付けられることになるため、当該折り込み部５３の端部にドライエッジを設けることにより、平面のエッジにおける剛性が低くなり、おむつ１を着用する際の不快感を着用者に生じさせにくくすることができる。
【００９３】
＜変形例＞
おむつ１は以下のように変形することもできる。図１２は、おむつ１の変形例について説明する概略断面図である。同図１２は、おむつ１の変形例について、縦方向（長手方向）においてバックシート３０の横方向の長さ（幅）が最小となる位置、すなわち、図１のＣ−Ｃ断面に相当する位置の断面を表すものである。
【００９４】
図１２に示されるように、おむつ１の変形例では、トップシート２０の横方向の外側端部２０ｅｓが防漏壁５０に沿って横方向の内側に折り返され、折り返された端部２０ｅｓと防漏壁５０の下面部５２とが接着剤等によって接合されている。防漏壁５０とトップシート２０とが互いに接合されていることにより、おむつ１の着用時において防漏壁５０が起立する際に、横方向の外側端部２０ｅｓを含むトップシート２０の一部が、防漏壁５０と一体となって起立するようになる。つまり、防漏壁５０の起立部分に積層される資材の枚数が増加して、当該起立部分の強度が高くなる。これにより、防漏壁５０の起立部分が途中で折れ曲がったり倒れたりしにくくなり、おむつ１着用時のフィット性をより向上させることができる。
【００９５】
なお、防漏壁５０とトップシート２０とを接合する際には、図１２のようにトップシート２０の横方向の外側端部２０ｅｓと防漏壁弾性部材５５６とが、厚さ方向において重複していない位置において接合することが望ましい。図９で説明したように、防漏壁弾性部材５５６は、おむつ１の着用時において防漏壁５０の折れ曲がりの基点となる部分であるため、この部分の剛性が高くなると、防漏壁５０の折れ曲がり変形が阻害されやすくなり、天面部５１が面形状を維持しにくくなるおそれがあるからである。
【００９６】
また、おむつ１の変形例では、防漏壁５０と吸収性本体１０との間に、防漏フィルム７０が設けられている。防漏フィルム７０は液不透過性のシート部材であり、長手方向に沿って防漏壁５０が起立している部分と厚さ方向に重なるように配置され、接着剤等によって互いに接合されている。防漏フィルム７０が設けられることにより、防漏壁５０の起立部分に積層される資材の枚数がさらに増加し、防漏壁５０の起立部分の強度をより高くすることができる。また、防漏壁５０の起立部分の横方向内側面が液不透過性になることから、排泄物が防漏壁５０に染み込みにくくなり、防漏壁５０の耐水性が向上する。したがって、防漏壁５０の起立部分がより折れ曲がりにくくなると共に、液漏れの発生等を効果的に抑制することが可能となる。
【００９７】
＝＝＝第２実施形態＝＝＝
第２実施形態のパンツ型使い捨ておむつ２（以下、「おむつ２」とも呼ぶ）は、エンド接合部６３及び本体接合部８０の構成が、第１実施形態のおむつ１と異なる。おむつ２のその他の構成についてはおむつ１とほぼ同等であるため、詳細な説明は省略する。図１３は、展開且つ伸長状態のおむつ２について、エンド接合部６３及び本体接合部８０の配置について説明する図である。
【００９８】
図１３のおむつ２で、バックシート３０と吸収性本体１０とを接合している本体接合部８０（斜線部で表されている）は長手方向に３つの領域に分かれており、それぞれの領域を本体腹側上端接合部８０ｆ、本体背側上端接合部８０ｂ、本体中央接合部８０ｃとする。本体腹側上端接合部８０ｆは、吸収性本体１０の長手方向における腹側端部（縦方向における腹側上端部）をバックシート３０と接合している。本体背側上端接合部８０ｂは、吸収性本体１０の長手方向における背側端部（縦方向における背側上端部）をバックシート３０と接合している。本体中央接合部８０ｃは、吸収性本体１０の長手方向における中央部（股下部５）をバックシート３０と接合している。
【００９９】
また、おむつ２で、防漏壁５０とトップシート２０（内層シート）とを接合するエンド接合部６３（黒塗り部で表されている）のうち、長手方向における腹側端部（縦方向における腹側上端部）を腹側エンド接合部６３ｆ、長手方向における背側端部（縦方向における背側上端部）を背側エンド接合部６３ｂ、とする。
【０１００】
図１３に示されるように、本体背側上端接合部８０ｂの縦方向における上端８０ｂｅｕ（長手方向の背側端）と、背側エンド接合部６３ｂの縦方向における上端６３ｂｅｕ（長手方向の背側端）とは、共に吸収性本体１０の縦方向における上端に位置している。一方、本体背側上端接合部８０ｂの縦方向における下端８０ｂｅｄ（長手方向の内側端）は、背側エンド接合部６３ｂの縦方向における下端６３ｂｅｄ（長手方向の内側端）よりも縦方向の下側に位置している。つまり、おむつ２では、本体背側上端接合部８０ｂと背側エンド接合部６３ｂとが縦方向（長手方向）において重複して配置されている。
【０１０１】
なお、図１３では、背側エンド接合部６３ｂの全ての領域が本体背側上端接合部８０ｂと重複しているが、必ずしも全ての領域が重複している必要は無く、少なくとも一部が重複していれば良い。また、本体背側上端接合部８０ｂの下端８０ｂｅｄと背側エンド接合部６３ｂの下端８０ｆｅｄとが縦方向において同じ位置であっても良い。すなわち、おむつ２においては、本体背側上端接合部８０ｂの下端８０ｂｅｄの位置が、縦方向において背側エンド接合部６３ｂの下端６３ｂｅｄの位置よりも上側とならない配置であれば良い。本体腹側上端接合部８０ｆと腹側エンド接合部６３ｆとの関係についても同様である（図１３参照）。
【０１０２】
おむつ２の防漏壁５０には、おむつ１と同様に横方向に並んだ複数の防漏壁弾性部材５５（図６及び図１３の５５１〜５５６）が配置されている。各々の防漏壁弾性部材５５は、図１３の破線で示された範囲において長手方向（縦方向）に伸長された状態で防漏壁５０に接合されている。つまり、おむつ２の長手方向において、少なくとも腹側エンド接合部６３ｆの内側端（縦方向における下端６３ｆｅｄ）と背側エンド接合部６３ｂの内側端（縦方向における下端６３ｂｅｄ）との間において、防漏壁弾性部材５５１〜５５６が長手方向に沿って伸長した状態で配置されている。これにより、当該領域では防漏壁弾性部材５５１〜５５５による伸縮性が発現している。
【０１０３】
防漏壁弾性部材５５１〜５５６はそれぞれ所定の伸長倍率で伸長した状態で防漏壁５０に接合されている。おむつ２では、防漏壁５０の折り込み接合部６１よりも横方向の外側の領域に配置されている防漏壁弾性部材５５１〜５５４の伸長倍率は約２．０倍である。また、防漏壁弾性部材５５１〜５５４の繊維径は約４７０Ｄ（デニール）である。一方、横方向において折り込み接合部６１と重複して配置されている防漏壁弾性部材５５６及び折り込み接合部６１よりも横方向の内側に配置されている防漏壁弾性部材５５５の伸長倍率は約３．０倍である。また、防漏壁弾性部材５５５，５５６の繊維径は約９４０Ｄ（デニール）である。
【０１０４】
その結果、おむつ２では、防漏壁５０の折り込み接合部６１よりも横方向の外側の領域における防漏壁弾性部材５５１〜５５４の応力の和は、防漏壁５０の折り込み接合部６１及び折り込み接合部６１よりも横方向の内側の領域における防漏壁弾性部材５５５，５５６の応力の和よりも小さくなっている。
【０１０５】
なお、「応力の和」は、例えば以下の試験を行うことによって測定することができる。まず防漏壁５０を長手方向に引っ張り、表面に皺ができない程度まで伸長させる。この状態で、防漏壁５０及び防漏壁弾性部材５５１〜５５４を長手方向における所定の長さｌｅ１で切り出して試験片とする。試験片は伸長した状態で切断されるため、防漏壁弾性部材５５１〜５５４が収縮する際のばらつきや残留応力等の影響によって試験片ごとに差が生じないように、試験片を所定時間（例えば、１日程度）放置する。放置した後で、収縮した状態の試験片の長手方向における長さｌｅ２を測定する。その後、試験片の長手方向端部の所定位置を引っ張り試験器のチャックで固定し、収縮した分の長さ（すなわち、ｌｅ１−ｌｅ２）だけ試験片を引っ張った際の応力値を測定する。これによりにより、「応力の和」が得られる。
【０１０６】
なお、上記の関係（防漏壁５０の折り込み接合部６１よりも横方向の外側の領域における防漏壁弾性部材５５の応力の和＜防漏壁５０の折り込み接合部６１及び折り込み接合部６１よりも横方向の内側の領域における防漏壁弾性部材５５の和）を満たしていれば、防漏壁弾性部材５５の配置や数量、伸長倍率や繊維径は自在に変更することが可能である。
【０１０７】
＜おむつ２の特性＞
このような構成を有することにより、おむつ２は、その着用時において特有の効果を有する。図１４は、パンツ型に形成されたおむつ２を横方向から見た場合の概略断面図である。
【０１０８】
パンツ型のおむつ２において、防漏壁５０は、防漏壁弾性部材５５１〜５５６の伸縮力によって腹側エンド接合部６３ｆと背側エンド接合部６３ｂとの間で収縮しつつ、図１４のように着用者の肌側に立ち上がる。このとき、腹側エンド接合部６３ｆの下端６３ｆｅｄには防漏壁弾性部材５５１〜５５６による収縮力Ｆ１が作用し、吸収性本体１０が当該部位において前後方向の内側（前側から後側）に引っ張られる。同様に、背側エンド接合部６３ｂの下端６３ｂｅｄには防漏壁弾性部材５５１〜５５６による収縮力Ｆ２が作用し、吸収性本体１０が当該部位において前後方向の内側（後側から前側）に引っ張られる。
【０１０９】
一般的なパンツ型おむつでは、着用者がおむつを着用した状態で仰向けの姿勢で寝ていた場合に、吸収性本体で吸収しきれなかった排泄物が、着用者の背側において吸収性本体の上端からおむつの外側に漏出してしまうおそれがある。
【０１１０】
これに対して、おむつ２では、吸収性本体１０の背側上端部が収縮力Ｆ２によって前後方向の内側（すなわち、着用者の肌側）に引っ張られることにより、当該背側上端部が着用者の身体にフィットしやすくなる。すなわち、吸収性本体１０の背側上端部と着用者の肌との間に隙間等が形成されにくくなり、吸収性本体１０の背側上端部から排泄物が漏出することを抑制しやすくなる。
【０１１１】
そして、おむつ２では、背側エンド接合部６３ｂの下端６３ｂｅｄが、本体背側上端接合部８０ｂの下端８０ｂｅｄよりも縦方向の上側に位置している。つまり縦方向において背側エンド接合部６３ｂの下端６３ｂｅｄと重複する位置では、吸収性本体１０とバックシート３０とが本体腹側上端接合部８０ｆを介して積層された状態で接合されていることになる。したがって、下端６３ｂｅｄにおける剛性が高くなっている。
【０１１２】
仮に、防漏壁弾性部材５５１〜５５６による収縮力Ｆ２が作用する部位の剛性が低かったとすると、吸収性本体１０を着用者の肌側に引っ張る力が分散しやすく、吸収性本体１０と着用者の肌との間に隙間ができたり皺が形成されたりして、排泄物の漏出を抑制することは難しい。これに対して第２実施形態のおむつ２では、収縮力Ｆ２が作用する部位の剛性が高いため、収縮力Ｆ２が吸収性本体１０を着用者の肌側に引っ張る力としてダイレクトに作用しやすくなる。これにより、吸収性本体１０の背側上端部におけるフィット性がより高くなり、背側上端部における排泄物の漏出を効果的に抑制することができる。
【０１１３】
さらに、おむつ２では、背側エンド接合部６３ｂの下端６３ｂｅｄにおいて、防漏壁弾性部材５５１〜５５６が防漏壁５０の長手方向に沿って伸長した状態で配置されている。言い換えると、防漏壁弾性部材５５１〜５５６による収縮力Ｆ２が該下端６３ｂｅｄに対して途切れることなく直接作用している。したがって、防漏壁弾性部材５５１〜５５６による収縮力が途中で途切れているような場合と比較して、防漏壁５０が着用者の肌側に引っ張られやすくなっている。つまり、防漏壁弾性部材５５１〜５５６による収縮力Ｆ２が、背側エンド接合部６３ｂの下端６３ｂｅｄを介して吸収性本体１０に直接作用することによって、該吸収性本体１０が着用者の肌側にしっかりと引っ張られるようになり、吸収性本体１０の背側上端部におけるフィット性をより向上させることができる。
【０１１４】
なお、図１３に示されるおむつ２の構成であれば、腹側においても背側と同等の効果を得ることができる。すなわち、吸収性本体１０の腹側上端部におけるフィット性が向上し、当該腹側上端部と着用者の腹部との間に隙間が生じにくくなる。これにより、着用者がおむつ２を着用した状態でうつ伏せの姿勢で寝ていた場合であっても、着用者の効果的に抑制することができる。
【０１１５】
また、おむつ２では、着用時における防漏壁５０のフィット性が向上している。上述したように、おむつ２では、防漏壁５０の折り込み接合部６１よりも横方向の外側の領域（図６における単層部５４に相当する領域）に配置されている防漏壁弾性部材５５（５５１〜５５４）の応力の和が、防漏壁５０の折り込み接合部６１及び折り込み接合部６１よりも横方向の内側の領域（図６における折り込み部５３に相当する領域）に配置されている防漏壁弾性部材５５（５５５，５５６）の応力の和よりも小さい。したがって、おむつ２の着用時において、折り込み部５３では長手方向に沿ってより大きな収縮力が作用するため、該折り込み部５３が着用者の肌にピタッとフィットしやすくなり、排泄物の横漏れを効果的に抑制することができる。
【０１１６】
一方、単層部５４では長手方向に沿った収縮力が折り込み部５３よりも弱いため、折り込み部５３と比較して長手方向にわずかに弛みが生じ、３次元的に変形しやすい状態となっている。したがって、単層部５４は着用者の身体の凹凸に応じて面でフィットしやすくなる。
【０１１７】
特に、おむつ２では、防漏壁弾性部材５５による収縮力Ｆ２が背側エンド接合部６３ｂの下端６３ｂｅｄに作用しており、かつ、下端６３ｂｅｄは本体背側上端接合部８０ｂの下端８０ｂｅｄよりも縦方向の高い位置にある（図１３及び図１４参照）。この場合、防漏壁５０は、第１実施形態のおむつ１等と比較して縦方向のより高い位置において着用者の肌側に立ち上がり、その分、着用者の身体のより広い範囲と接触しやすいことから、着用者の身体の凹凸にあわせてより柔軟に変形可能であることが要求される。これに対して、おむつ２の防漏壁５０では、単層部５４が変形しやすくなっているため、身体の凹凸に対しても良好なフィット性を実現することができる。特に、臀部のような大きな凹凸を有する曲面にも自然にフィットしやすくなる。
【０１１８】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【０１１９】
（弾性部材について）
上述の実施形態では、胴回り弾性部材や防漏壁弾性部材として、糸ゴムを用いる例について説明されていたが、これらの弾性部材は所謂糸ゴム等の線状弾性部材に限られるものではない。例えば、所定の幅を有する平面状（帯状の）弾性部材が用いられても良い。また、防漏壁やバックシートを構成するシート部材を、伸縮性を有するシート部材（例えば伸縮性不織布）とすることで、糸ゴム等の弾性部材を別途設ける必要のない構成としても良い。
【０１２０】
（おむつの折り畳みについて）
上述のおむつ１及びおむつ２は、梱包時や収納時において、縦方向に２つ折りにして畳むことでコンパクトな形状にすることができる。図１５は、折り畳み状態のおむつ１（おむつ２）について説明する概略断面図である。
【０１２１】
おむつ１（おむつ２）には、縦方向の所定位置において横方向に沿った折り畳み線ＦＬが設けられており、当該折り畳み線ＦＬを折り畳み基点としてパンツ型形状のおむつ１（おむつ２）を図１５のように縦方向に二つ折りにして畳むことができる。図１では、腹側胴回り部３及び背側胴回り部４中の所定位置に、一対の折り畳み線ＦＬ，ＦＬが網掛け線で表示されている。この折り畳み線ＦＬは、おむつ１（おむつ２）において縦方向の上端（長手方向の腹側端及び背側端）から所定距離Ｌｈだけ離れた位置に、横方向に沿って設けられている。なお、所定距離Ｌｈはパンツ型形状のおむつ１（おむつ２）の縦方向における長さの約１／２の長さである（図１、図２参照）。
【０１２２】
折り畳み線ＦＬは、縦方向（長手方向）において一部が吸収性本体１０の吸収体１１と重複する位置に配置されている。したがって、おむつ１を折り畳む際に剛性の高い吸収体１１が容易に折れ曲がり、かつ、折り曲げられた状態が維持されやすくするために、おむつ１には折り畳み線ＦＬに沿った折り癖が付けられている。具体的には、おむつ１の製造工程において、製品状態（パンツ型形状）のおむつ１を折り畳み線ＦＬにて折り曲げた後、折り畳み線ＦＬの位置で厚さ方向に局所的なプレス加工を施す等の処理が行われ、しっかりと折り癖が付けられる。これにより、折り畳まれたおむつ１が自然に元の形状に戻ってしまうことが抑制され、コンパクトにパッケージングしやすくなる。
【０１２３】
このとき、折り畳み線ＦＬは、縦方向（長手方向）において防漏壁５０の折り込み接合部６１（すなわち折り込み部５３）と重複しないように形成される。すなわち、おむつ１（おむつ２）で、折り畳み線ＦＬと接合部６１とは縦方向において重複部を有していない（図１及び図１５参照）。したがって、おむつ１（おむつ２）が折り畳まれた状態であっても、防漏壁５０のうち折り込み接合部６１（折り込み部５３）が形成されている位置では天面部５１に折り癖が付けられない。つまり、折り込み接合部６１が形成されている位置において、防漏壁５０の天面部５１は長手方向及び幅方向に対して平面形状を維持しやすく、おむつ１の着用時において天面部５１が着用者の身体にピタッとフィットする効果は失われにくい。なお、図１５においては、長手方向の中央位置ＣＬ１０にて吸収体１１及び防漏壁５０（接合部６１）が折り曲げられているが、該中央位置ＣＬ１０では折り畳み線ＦＬのような折り癖が付けられていないため、おむつ１着用時において防漏壁５０の天面部５１は平面形状を維持しやすい。
【０１２４】
また、このような構成であれば、縦方向において防漏壁５０の非接合部６２と折り畳み線ＦＬとが重複する。すなわち、防漏壁５０の非接合部６２のいずれかの領域に折り癖が付けられる。この場合、折り癖が付けられた位置では、非接合部６２が縦方向（長手方向）に折れ曲がりやすくなる。一方、非接合部６２が横方向（幅方向）に沿ってプレスされることにより、該非接合部６２は横方向に対しては折れ曲がり難くなる。そして、長手方向において腹側及び背側の折り畳み線ＦＬ，ＦＬとの間の領域（図１の股下部５に相当する領域）では、上述のプレスによる力以外に防漏壁５０を横方向に折り曲げる力は作用し難いことから、股下部５の領域において防漏壁５０の天面部５１は平面形状をより維持しやすくなる。
【符号の説明】
【０１２５】
１  おむつ（パンツ型使い捨ておむつ）、
３  腹側胴回り部、３ｅｓ  腹側サイドエッジ部、
４  背側胴回り部、４ｅｓ  背側サイドエッジ部、
５  股下部、
１０  吸収性本体、１０ｅｓ  外側端、
１１  吸収体、１１ｃ  括れ部、１１ｅａ  端部、１１ｅｂ  端部、
１２  コアラップシート、
２０  トップシート（内層シート）、２０ｅｓ  端部、
３０  バックシート（外層シート）、３０ｃ  括れ部、３０ｅｓ  外側端、
３１  バックフィルム、３２  上側外層シート、３３  下側外層シート、
３５ａ  腹側胴回り弾性部材、３５ｂ  背側胴回り弾性部材、
３５ｌｇ  背側脚回り弾性部材、３５ｌｇｓ  直線部、３５ｌｇｃ  湾曲部、
５０  防漏壁、
５０ｓ  シート部材、５０ｅｉ  内側端部、５０ｅо  外側端部、５０ｒｐ  基部、
５１  天面部、５２  下面部、５３  折り込み部、５４  単層部、
５５  防漏壁弾性部材、５５１〜５５５  防漏壁弾性部材、５５６  防漏壁弾性部材、
６１  折り込み接合部、６２  非接合部、
６３  エンド接合部、６３ｆ  腹側エンド接合部、
６３ｂ  背側エンド接合部、６３ｂｅｕ  上端、６３ｂｅｄ  下端、
７０  防漏フィルム、
８０  本体接合部、８０ｆ  本体腹側上端接合部、８０ｃ  本体中央接合部、
８０ｂ  本体背側上端接合部、８０ｂｅｕ  上端、８０ｂｅｄ  下端、
ｆ１，ｆ２，ｆ３  折り曲げ線、
ＦＬ  折り畳み線、
ＢＨ  胴回り開口、ＬＨ  脚回り開口、
ＣＬ１０  中央位置、
Ｗ５０  間隔（折り込み接合部）、
Ｗ８０ｃ  幅、Ｗ８０ｅ  幅、
Ｗｓ３０  横方向距離、Ｗｓ５０  横方向距離
【図１】
2017205484.tif 000003
【図２】
2017205484.tif 000004
【図３】
2017205484.tif 000005
【図４】
2017205484.tif 000006
【図５】
2017205484.tif 000007
【図６】
2017205484.tif 000008
【図７】
2017205484.tif 000009
【図８】
2017205484.tif 000010
【図９】
2017205484.tif 000011
【図１０】
2017205484.tif 000012
【図１１】
2017205484.tif 000013
【図１２】
2017205484.tif 000014
【図１３】
2017205484.tif 000015
【図１４】
2017205484.tif 000016
【図１５】
2017205484.tif 000017